(57)【特許請求の範囲】
【請求項１】
給油用のポンプと、給油量を計量する流量計と、給油用の給油ノズルとを有する給油装置を備えた給油所システムであって、
給油単価を燃料油の油種ごとに記憶する単価記憶部と、
個々の顧客ごとの識別コードに関連付けて、当該顧客に対して所定の単価割引を行う有効期間の情報を記憶する顧客情報記憶部と、
前記有効期間を複数に区分した単位期間ごとの給油量または給油金額の所定の閾値を記憶する閾値記憶部と、
燃料油の購入について、前記給油単価から前記所定の単価割引を行う割引処理を制御する制御装置とを備え、
顧客が給油を行う際に、今回の給油日が前記有効期間内であって、かつ、当該今回の給油日が属する単位期間における過去の給油量の累計または給油金額の累計が前記所定の閾値未満である割引適用条件が満たされる場合に、前記割引処理を行うように前記制御装置により制御し、
ここにおいて、給油量または給油金額を含む給油予定情報を入力するための給油予定情報入力手段と、
投入された貨幣を識別するための貨幣識別手段と、
予め入金された予納額および／または貨幣の金額から購入金額を減算した残高を記憶可能な給油カードの情報の読み取りおよび書き込みを行う給油カードリーダ・ライタと、
前記給油予定情報入力手段により入力された給油予定量または給油予定金額に基づくプリセット値と、投入された現金および投入された給油カードの残額の合計に基づいて算出される給油可能値とを比較して、前記プリセット値または前記給油可能値のうちいずれが小さいかを判別して選択する第１比較手段と、
前記第１比較手段により選択されたプリセット値または給油可能値と、前記所定の閾値から前記給油量の累計または前記給油金額の累計を差し引いた残量値と、を比較する第２比較手段とを更に備え、
前記割引適用条件が満たされることを条件として、
前記第２比較手段による比較により前記残量値が、前記第１比較手段により選択されたプリセット値または給油可能値よりも小さい比較条件が満たされる場合に、前記残量値までの給油についてのみ、前記割引処理を行うように、
前記制御装置により制御し、
ここにおいて、前記割引適用条件および前記比較条件が満たされる場合、前記残量値を仮想プリセット値として、該仮想プリセット値に対応する給油量または給油金額に達した際に給油を停止させるように制御され、
ここにおいて、前記給油ノズルを掛けるノズルハンガと、該ノズルハンガに前記給油ノズルが掛けられているか否かを検出するノズルスイッチとを更に備え、
前記給油停止後に、前記ノズルハンガに前記給油ノズルが掛けられていると前記ノズルスイッチが検出することを条件に、前記プリセット値または給油可能値から前記残量値を差し引いた量について次回の給油を可能とするように制御される給油所システム。
【請求項２】
請求項１において、表示手段を更に備え、
前記割引適用条件および前記比較条件が満たされる場合、給油の際に、予め、前記給油単価から前記所定の単価割引を行った値引き単価と前記仮想プリセット値に対応する給油量または給油金額とが前記表示手段に表示される給油所システム。
【請求項３】
請求項１もしくは２のいずれか１項において、前記顧客情報記憶部に前回の給油日が記憶されており、
前記前回の給油日が前記今回の給油日の属する単位期間に属するか否かを判別するように制御される給油所システム。
【発明の詳細な説明】
【技術分野】
【０００１】
本発明は、給油所システムに関する。
【背景技術】
【０００２】
近年、給油所、給油所の系列企業または提携企業等で一定の物品（例えば車など）を購入した際、給油所での各種割引券などを発行して、通常の給油単価より安くガソリンなどの給油ができる、あるいは、洗車ができる等の特典サービスが行われている。
給油単価を割引く場合には、例えば、下記特許文献１のような板状記憶媒体が用いられることがある。
【０００３】
【特許文献１】特開平２００４−２０３４１８（要約書）
【０００４】
しかし、前記のような特典サービスであると、例えば割引券を貰った顧客は短期間で割引単価でのガソリンの給油を行ない、割引券を使い切った後は給油に来店しないような事態があり得る。すなわち、給油所は、特典サービスを付与しても、顧客が継続して来店するリピート客になることが余り期待できないという問題が生じていた。
【発明の開示】
【０００５】
本発明の主目的は、長期にわたって、顧客が継続的に給油を行うことを期待できる給油所システムを提供することである。
【０００６】
前記目的を達成するために、本発明の給油所システムは、給油用のポンプと、給油量を計量する流量計と、給油用の給油ノズルとを有する給油装置を備えた給油所システムであって、給油単価を燃料油の油種ごとに記憶する単価記憶部と、個々の顧客ごとの識別コードに関連付けて、当該顧客に対して所定の単価割引を行う有効期間の情報を記憶する顧客情報記憶部と、前記有効期間を複数に区分した単位期間ごとの給油量または給油金額の所定の閾値を記憶する閾値記憶部と、燃料油の購入について、前記給油単価から前記所定の単価割引を行う割引処理を制御する制御装置とを備え、顧客が給油を行う際に、今回の給油日が前記有効期間内であって、かつ、当該今回の給油日が属する単位期間における過去の給油量の累計または給油金額の累計が前記所定の閾値未満である割引適用条件が満たされる場合に、前記割引処理を行うように、前記制御装置により制御することを特徴とする。
【０００７】
本発明によれば、単価割引制度を有効期間内での複数の単位期間ごとに決められた閾値まで値引き単価で給油できるようにした。したがって、顧客が短期間で割引制度を使い切ることがなく、少なくとも有効期間の間、給油客が給油所に継続して来店して給油を行なうことを期待できる。また、有効期間後の顧客の来店も期待できる。
【０００８】
また、顧客が短期間に集中して値引き単価での給油を行うことがないので、給油所は利幅の低い、あるいは、赤字での給油を短期間に提供しないで済み、給油所は利益を大きく損なうことがない。
さらに、顧客は単位期間毎の所定の閾値を超えて給油を行うことが多いと考えられ、その結果、給油所は通常単価での給油の増販を期待できる。
また、ある程度の長さの有効期間に割引を行う場合、顧客は物品の購入意欲を増し企業グループ全体としての増販が期待できる。
【０００９】
前記有効期間としては、たとえば、１ヵ月、半年、１年、２年などの種々の長さの期間を採用することができる。また、前記有効期間を区分する複数の単位期間としては、たとえば、１週間、１０日間、１ヵ月などの種々の長さの期間を採用することができる。なお、前記複数の単位期間は必ずしも同じ長さでなくてもよい。
【００１０】
本給油所システムは、給油量または給油金額を含む給油予定情報を入力するための給油予定情報入力手段と、投入された貨幣を識別するための貨幣識別手段と、予め入金された予納額および／または貨幣の金額から購入金額を減算した残高を記憶可能な給油カードの情報の読み取りおよび書き込みを行う給油カードリーダ・ライタと、前記給油予定情報入力手段により入力された給油予定量または給油予定金額に基づくプリセット値と、投入された現金および投入された給油カードの残額の合計に基づいて算出される給油可能値とを比較して、前記プリセット値または前記給油可能値のうちいずれが小さいかを判別して選択する第１比較手段と、前記第１比較手段により選択されたプリセット値または給油可能値と、前記所定の閾値から前記給油量の累計または前記給油金額の累計を差し引いた残量値とを比較する第２比較手段とを更に備え、前記割引適用条件が満たされることを条件として、前記第２比較手段による比較により前記残量値が、前記第１比較手段により選択されたプリセット値または給油可能値よりも小さい比較条件が満たされる場合に、前記残量値までの給油についてのみ、前記割引処理を行うように、前記制御装置により制御する。
【００１１】
この場合、プリセット値または給油可能値のいずれか小さい方に比べ、前記残量値が小さい場合に前記残量値までの給油についてのみ割引処理を行う。したがって、プリセット値または給油可能値を含む当該単位期間の給油量または給油金額の合計が単位期間ごとの所定の閾値を跨ぐ（超える）場合に、必要な分だけ割引単価を適用できる。すなわち、閾値を超える分の給油について割引を適用しないので、給油所の利益を大きく損なわなずに済む。
前記プリセット値としては、たとえば、給油予定情報入力手段により入力された給油量や給油金額を用いることができる。また、前記給油可能値としては、たとえば、現金と給油カードの残額との合計金額そのものや、該合計金額で給油可能な給油可能量を用いることができる。
【００１２】
本給油所システムでは、前記割引適用条件および前記比較条件が満たされる場合、前記残量値を仮想プリセット値として、該仮想プリセット値に対応する給油量または給油金額に達した際に給油を停止させる。
【００１３】
プリセット値を含む当該単位期間の給油量または給油金額の合計が単位期間ごとの所定の閾値を超える場合に、仮想プリセット値で給油を停止させることで、割引単価での給油の終了を明確にすることができる。また、精算処理の間に不用意に燃料油が吐出することがなく、安全性が担保される。
なお、本明細書において、“給油を停止させる”とは、給油ノズルからの給油を禁止した状態にすることをいう。
【００１４】
給油が停止された後、前記ノズルハンガに前記給油ノズルが掛けられていると前記ノズルスイッチが検出することを条件に、次回の給油を可能とするように制御する。前記残量値が仮想プリセット値とされる場合、顧客が所望の給油量（プリセット量または給油可能量）を給油するためには２度の給油を行う必要があるが、このように制御すれば、ソフトの大幅な変更なしにかかる給油が可能な給油システムが実現できる。
【００１６】
本態様の給油所システムでは、前記割引適用条件および前記比較条件が満たされる場合、給油の際に、前記給油単価から前記所定の単価割引を行った値引き単価と、前記仮想プリセット値に対応する給油量などが前記表示手段に表示されるようにしてもよい。
このようにすれば、顧客が、割引単価と、割引単価で給油できる給油量などを視認して確認できる。
【００１７】
本発明の給油所システムでは、前記顧客情報記憶部に前回の給油日が記憶されており、当該前回の給油日が今回の給油日の属する単位期間に属するか否かを判別するようにするのが好ましい。
このようにすれば、今回の給油が単位期間の初めての給油か否かを判別することができる。その結果、今回の給油が単位期間の初めての給油であれば、割引を行える残量値があることになるので、給油量などの累計と所定の閾値を比較せずに割引適用条件を満たすと判断することができる。
【発明を実施するための最良の形態】
【００１８】
以下、本発明の一実施形態を図面にしたがって説明する。
値引きサービスの概要：
本実施形態の給油所システムでは、所定の給油客に対して値引きを行う所定の値引きサービスを行うが、まず、この値引きサービスについて説明する。
この値引きサービスは、例えば、給油所や該給油所の提携会社、系列会社などにおいて車などの物品を購入した顧客に対して、所定の有効期限（有効期間の情報の一例）までの間、給油の際に通常の給油単価から所定の値引きをする値引きサービスを行うものである。有効期間としては、たとえば、値引きサービス開始の日の属する月から６ヵ月間に設定する。かかる設定では、５月に値引きサービスが開始された場合は、５月〜１０月の６ヵ月の間、値引きサービスが適用され、１０月の末日が有効期限となる。
【００１９】
また、この値引きサービスでは、顧客（給油カード）ごとに、有効期限までの間の１ヵ月（単位期間の一例）当りの値引きを受けることができる最大の給油量、すなわち、サービス制限量（閾値の一例）が設けられている。たとえば、前記設定においては、５月〜１０月の各月で、値引きを受けることができる給油量がサービス制限量（たとえば、１００Ｌ）までに制限されている。したがって、各月において、顧客がサービス制限量を超える給油を行った場合、当該超過分の給油については値引きの行われない通常の給油単価（通常単価）が適用される。
【００２０】
次に前記値引きサービスを行うための本給油所システムの構成について説明する。
全体構成：
図１（ａ）に示すように、本実施形態の給油所システムは、ＰＯＳ端末（管理装置）２０を備えている。該ＰＯＳ端末２０には、複数台の給油装置９や精算装置１０などが、図示しないインターフェイスを介して、たとえば、ethernetや業界標準のSS-LANなどにより互いに接続されている。給油装置９には、それぞれ、精算装置１０が接続されている。前記ＰＯＳ端末２０は、給油所内に設けられた給油装置９や、精算装置１０などの管理を行うものであり、たとえばパソコンで構成されている。なお、図１（ａ）および図２において、ethernetによる接続は実線で示し、SS-LANによる接続は一点鎖線で示している。
【００２１】
一方、ＰＯＳ端末２０は、たとえば電話回線などにより、給油所から離れた場所に存在するクレジットセンター５０に接続されている。また、図２に示すように、ＰＯＳ端末２０には、支払手段ごとの単価などの単価テーブルを記憶する単価記憶部２１および単価の値引き額などの値引きテーブルを記憶する値引情報記憶部（閾値記憶部の一例）２２が設けられている。
【００２２】
図１（ｂ）は、前記精算装置１０の正面図である。図１（ｂ）に示すように、精算装置１０の正面に設けられた操作パネル１０Ａには、表示器１２、貨幣投入口１３Ａ、給油カード投入口１４Ａ、クレジットカード投入口１６Ａ、レシート発行口１９Ａ、人検知センサ１８およびスピーカー１７などが設けられている。
【００２３】
後述するように、顧客は、図１（ａ）の精算装置１０に、給油カードや貨幣などを投入した後に給油装置９から給油を行い、該給油後に精算装置１０から返却された給油カードや領収書などを受け取る。
【００２４】
給油装置９：
図２に示すように、前記給油装置９には、たとえばマイコンなどからなる給油機制御手段９１が設けられている。給油機制御手段９１には、たとえば、「レギュラー」、「ハイオク」および「軽油」などの油種別に給油機９３および給油ノズル９２が接続されている。給油機９３は、それぞれ、油送用のポンプ（図示せず）および給油量を計量する流量計（図示せず）を備えており、給油用の給油ノズル９２に接続されている。また、各給油機９３には、給油ノズル９２を掛けるノズルハンガ（図示せず）と、該ノズルハンガに給油ノズルが掛けられているかを検出するノズルスイッチ９４とが設けられている。
【００２５】
給油機制御手段９１は給油機９３の制御を行うものであり、後述する給油予定情報に従って、所定の油種の給油ノズル９２からの給油を可能とすると共に、給油量のカウントを行い精算装置１０や前記ＰＯＳ端末２０（図１（ａ））に、油種および給油量などからなる給油実績、前記ノズルスイッチ９４のＯＮ・ＯＦＦ情報、給油の完了を示す給油完了信号などを送信する。また、給油機制御手段９１は、マイコン１１からの情報に従って、給油を停止させることが可能である。
【００２６】
精算装置１０：
精算装置１０はマイコン（制御装置、第１および第２比較手段）１１を備えている。マイコン１１は、ＣＰＵ１１ａおよび記憶部１１ｂを備えている。
マイコン１１は、前記給油装置９から受信した給油実績（油種および給油量）と前記単価記憶部２１に記憶された給油単価または該給油単価から値下げされた値下げ単価とに基づいて給油金額（支払金額）を算出し、前記給油が行われる毎に、当該給油時の年月日、時刻、給油量、油種、投入金額、買上金額および釣銭などの給油情報を前記ＰＯＳ端末２０（図１（ａ））に送信する。
【００２７】
前記マイコン１１には、表示器１２、貨幣（紙幣）識別機１３、給油カードリーダ・ライタ１４、カード発行機１５、クレジットカードリーダ（以下、「クレジットリーダ」という）１６、スピーカー１７、人検知センサ１８、プリンタ１９および計時手段Ｔが図示しないインターフェイスを介して互いに接続されている。
【００２８】
前記表示器（表示手段）１２は、たとえば、液晶表示器を備えたタッチスクリーンからなり、たとえば、図８（ａ）、図８（ｂ）などの表示画面を表示させる表示手段を構成していると共に、表示画面に表示された確認ボタン１２ａや選択スイッチ（図示せず）などにタッチすることで入力を行う入力手段を構成している。この入力手段には、たとえば、油種と給油量または給油金額を含む給油予定情報を入力するための図示しない表示やスイッチ（給油予定情報入力手段）などが含まれる。また、この表示器１２には、前記サービス制限量や、該サービス制限量から当月の給油量の累計を減算したサービス残量（残量値の一例）や、適用される給油単価などを表示することができる。
【００２９】
図２に示すプリンタ１９は、たとえば、サーマルプリンタやカッタなどを備えており、レシート発行口１９Ａ（図１（ｂ））から、領収書などの発行を行う。
【００３０】
前記貨幣識別機（貨幣識別手段）１３は、貨幣投入口１３Ａ（図１（ｂ））から投入された紙幣を識別するものであり、紙幣の種類や枚数（個数）の判別を行う。
【００３１】
クレジットリーダ１６は、前記クレジットカード投入口１６Ａ（図１（ｂ））から挿入（投入）されたクレジットカードからクレジットカードの登録情報を読み取り、前記マイコン１１に当該登録情報を送信する。マイコン１１は、該登録情報をＰＯＳ端末２０に送信し、ＰＯＳ端末２０は前記登録情報を、図１（ａ）のクレジットセンター５０に送信する。クレジットセンター５０で該登録情報が確認されると、正規の登録情報である旨の承認信号がＰＯＳ端末２０に送られ、精算装置１０での精算が可能となる。
【００３２】
前記カード発行機１５は、給油カードを未使用の状態でストックしており、新たな給油カードを発行可能である。
前記給油カードリーダ・ライタ１４は、給油カード投入口１４Ａ（図１（ｂ））から挿入（投入）された給油カードの情報の読み取り、書き込みおよび印字を行う。
前記計時手段Ｔは、たとえば、ＲＴＣ（リアルタイムクロック）からなり、現在の年月日を含む時刻情報やカレンダ情報などを出力する。
【００３３】
ＰＯＳ端末２０：
ＰＯＳ端末２０は、精算装置１０からの購入情報や、給油機制御手段９１から精算装置１０を介して送信されてきた給油実績などに基づいて、燃料油の売上げ等の各種情報を管理する。前記ＰＯＳ端末２０は、精算装置１０から購入情報が送信されると、ポンプを駆動させて前記給油ノズル９２から燃料油を吐出することを許可する給油許可信号を給油機制御手段９１に出力する。また、ＰＯＳ端末２０では、入力手段（図示せず）を介して、例えば、給油所や該給油所の提携会社、系列会社などにおいて車などの物品を購入した顧客に対して、前記値引きサービスを適用する操作を行うことが可能である。
【００３４】
単価記憶部２１：
単価記憶部２１には、図３（ｃ）に示す単価テーブルが記憶されている。すなわち、前記単価記憶部２１には、支払手段（給油カード、クレジットカードなど）の種別情報ごとに、レギュラー給油の精算単価、ハイオク給油の精算単価および軽油給油の精算単価からなる単価情報などが、互いに関連付けられて記憶されている。
【００３５】
値引情報記憶部２２：
値引情報記憶部２２には、たとえば、図３（ａ）、図３（ｂ）に示す値引テーブルが記憶されている。すなわち、前記値引情報記憶部２２には、月当りのサービス制限量および単価値引き額が、値引ランクと関連付けられて記憶されている。値引ランクは複数設けられており、給油カードに記憶された値引ランク適用情報により複数の値引ランクのうちのいずれを適用するかが決定される。
【００３６】
値引テーブルとしては、たとえば、複数の値引ランクでサービス制限量を同じに設定し、単価値引き額をランクごとに異なるようにするテーブル（図３（ａ））や、複数の値引ランクで単価値引き額を同じに設定し、サービス制限量をランクごとに異なるようにするテーブル（図３（ｂ））を採用できる。
【００３７】
給油カードＰ：
本実施形態では、給油カードＰとして、図９（ａ）のように、給油ごとに印字を追加していくタイプのカードを用いている。図４（ａ）に示すように、給油カードＰは、磁気記録による顧客情報記憶部３１を有する。また、図９（ａ）に示すように、給油カードＰは、一方の面が印字領域３ａとして構成されている。前記印字領域３ａには、当該給油カードＰの使用月日や、投入金額、残額（残高）、ポイント数などが印字される。
【００３８】
前記顧客情報記憶部３１には、例えば、図４（ｂ）に示すカード情報が記憶されている。すなわち、顧客情報記憶部３１には、前回使用年月日（前回の給油日）、利用可能残高、値引きサービスの有効期限、累積給油量、累積給油金額、ポイント合計および値引ランク適用情報等のカード情報が、識別番号（識別コードの一例）と関連付けられて記憶されている。
また、顧客情報記憶部３１内には、当月給油量（今回の給油日の属する月における給油量（給油金額）の累計）３１ａを識別番号（識別コードの一例）と関連付けて記憶する累計記憶部が設けられている。
【００３９】
前記ポイント合計は、支払金額の累計に基づいて定まる付与価値の数値であり、たとえば、前記累計に１／１００を乗算し、小数点以下を四捨五入することで算出される。前記ポイント数は、後述する所定のトリガーに基づいて前記所定の印字位置に印字される。
前記値引ランク適用情報は、前記値引情報記憶部２２に記憶された複数の値引ランクのうちのいずれを適用するかの情報である。たとえば、値引ランク適用情報が“１”である場合、値引ランク１が適用される。
【００４０】
サービス適用処理：
前記値引きサービスの適用は、ＰＯＳ端末２０（図２）側の所定の画面を操作して、前記カード発行機１５や給油カードリーダ・ライタ１４により、給油カードＰを新たに発行したり、既存の給油カードＰの記憶を新たに情報を記憶させることで行われる。
【００４１】
給油カードＰを所有しておらず新たに値引きサービスを受ける顧客については、前記顧客情報記憶部３１（図４（ａ））に顧客に応じた値引ランク適用情報および有効期限を記憶させた給油カードＰを新たに発行すること（発券処理）でサービス適用処理がなされる。
一方、給油客が既に給油カードＰを保持している場合は、該給油カードＰの顧客情報記憶部３１（図４（ａ））に顧客に応じた値引ランク適用情報と有効期限を新たに記憶させることで、サービス適用処理がなされる。なお、この場合、既存のカード情報は継承される。
サービス適用処理を受けた顧客は、前記値引ランク適用情報および有効期限が記憶された給油カードＰを用いて、値引きサービスでの給油を行なうことができる。
【００４２】
給油方法：
つぎに、図５〜図７に示すフローチャートに従い、前記サービス適用処理が行われた給油カードＰを用いて前記値引きサービスを行う給油所システムの給油方法について具体的に説明する。
【００４３】
顧客が給油カードＰを給油カード投入口１４Ａから挿入すると、図５に示すステップＳ１に進み、前記給油カードリーダ・ライタ１４が給油カードＰの挿入を検出して、ステップＳ２に進む。
【００４４】
ステップＳ２では、給油カードリーダ・ライタ１４が当該給油カードＰから、前記顧客情報記憶部３１に記憶されているカード情報などを読み出してマイコン１１に送信し、ステップＳ３に進む。
ステップＳ３では、マイコン１１が当該カード情報に基づき、当該給油カードＰが正規のカードであるか否かの判別を行い、正規のカードであると判別した場合には、ステップＳ４に進む。正規のカードではないと判別した場合には、ステップＳ１１に進む。ステップＳ１１では、表示器１２に給油カードＰを受け付けられない旨の表示を行うと共に、該給油カードＰを給油カード投入口１４Ａから排出する。
【００４５】
ステップＳ４では、前記カード情報のうちの有効期限と前記計時手段Ｔから出力される現在年月日（今回の給油日）を比較して、当該顧客が値引きサービスの適用を受けられる客かどうかを判別する。この結果、現在年月日が有効期限以前（有効期間内）である場合、ステップＳ５に進む。一方、現在年月日が有効期限より後（有効期間外）である場合、あるいは、有効期限が記憶されていない場合は、ステップＳ５１（図７）に進む。
【００４６】
現在年月日が有効期限以前の場合：
ステップＳ５では、前記カード情報のうちの値引ランク適用情報に基づいて、前記値引情報記憶部２２から当該値引ランクに対応するサービス制限量および単価値引き額を読み出すと共に、前記単価記憶部２１から給油カードの油種ごとの給油単価（通常単価）を読み出して、ステップＳ６に進む。たとえば、値引テーブルとして、図３（ａ）のテーブルが採用されており、値引ランク適用情報が“１”である場合、値引ランク１が適用され、サービス制限量“１００Ｌ”および単価値引き額“−５円”が読み出される。
【００４７】
ステップＳ６では、前記カード情報のうちの前回使用年月日（前回の給油日）と現在年月日とを比較して、現在年月日が前記前回使用年月日と同じ月に属するか否かを判別する。この結果、現在年月日が前回使用年月日と同じ月でない場合、つまり、今回の給油が当該月における初めての給油である場合は、ステップＳ７に進む。一方、現在年月日が前回使用年月日と同じ月である場合、つまり、今回の給油が当該月における２回目以降の給油である場合は、ステップＳ１２に進む。
【００４８】
ステップＳ１２では、前記読み出したサービス制限量から前記カード情報のうちの当月給油量を差し引いてサービス残量Ｖs を算出し、ステップＳ１３に進む。ステップＳ１３では、サービス残量Ｖs があるかどうかを判別する。
前記算出されたサービス残量Ｖs ＞０の場合、サービス残量Ｖs があると判別されて、ステップＳ７に進む。一方、サービス残量Ｖs ≦０である場合、サービス残量Ｖs がないと判別されて、ステップＳ５１（図７）に進む。
【００４９】
サービス残量がある場合：
ステップＳ７では、サービス残量Ｖs がセット（設定）されると共に、該サービス残量Ｖs を表示した確認画面（図８（ａ））が表示器１２に表示されて、ステップＳ２１に進む。今回の給油が当該月における初めての給油である場合は、当月にまだ給油を行っていないので、サービス制限量がサービス残量Ｖs としてセットされる。一方、今回の給油が当該月における２回目以降の給油である場合は、前記ステップＳ１２で算出された値がサービス残量Ｖs としてセットされる。
【００５０】
ステップＳ２１では、マイコン１１が、単価を油種ごとに表示した油種の設定画面を表示器１２に表示させる。ここで、単価は前記通常単価から前記単価値引き額を差し引いた値引き単価が表示される。油種（給油予定情報の一部）が指定されるとステップＳ２２に進む。
【００５１】
ステップＳ２２では、給油量の設定画面を表示器１２に表示させる。給油量の指定としては、たとえば、満タンや所望の量（たとえば、５０Ｌ）を指定することができる。給油量が指定されると、当該指定量がプリセット値Ｖp としてセットされて、ステップＳ２３に進む。なお、満タン指定の場合は、後述する比較を行うために、たとえば、９９９９．９９Ｌなどの所定の量がプリセット値Ｖp としてセットされる。
【００５２】
ステップＳ２３では、給油カードＰの残額があるかどうかを判別する。前記カード情報のうち、利用可能残高＞０の場合は、残高があると判別されて、ステップＳ２４に進む。一方、利用可能残高≦０の場合は、残高がないと判別されて、ステップＳ２５に進む。
【００５３】
ステップＳ２４では、現金が投入されたか否かを判別して、ステップＳ２７（図６）に進む。ここで、貨幣識別機１３が現金の投入を検出した場合は投入された現金の額を算出する。
【００５４】
前記給油カードＰの残額がない場合、ステップＳ２５で、現金が投入されたか否かを判別する。貨幣識別機１３が現金の投入を検出した場合は投入された現金の額を算出して、ステップＳ２７（図６）に進む。一方、現金の投入が検出されない場合は、ステップＳ２６に進み、現金の投入を促す画面を表示して一定時間現金の投入を待った後、給油カードＰを給油カード投入口１４Ａから排出する。
【００５５】
図６に示すステップＳ２７では、前記カード情報のうちの利用可能残高と投入された現金の額との合計額に基づいて、当該合計額で給油することができる最大の給油量、すなわち、給油可能量Ｖc を算出し、ステップＳ２８に進む。
【００５６】
仮想プリセット値の算出：
ステップＳ２８、ステップＳ２９では、前記サービス残量Ｖs 、プリセット量Ｖp および給油可能量Ｖc について、ＣＰＵが下記第１比較および第２比較を行い、仮想プリセット量（仮想プリセット値の一例）を算出（選択）して、ステップＳ３０に進む。
【００５７】
まず、第１比較では、前記プリセット量Ｖp と給油可能量Ｖc とを比較し、いずれか小さい方（同量の場合はどちらでも可）を次の第２比較での比較対象量として選択する。
すなわち、
（Ａ）プリセット量Ｖp ＞給油可能量Ｖc の場合は、給油可能量Ｖc を前記比較対象量として選択し、
（Ｂ）プリセット量Ｖp ≦給油可能量Ｖc の場合は、プリセット量Ｖp を比較対象量として選択する。
【００５８】
続く第２比較では、前記第１比較で選択された比較対象量と前記サービス残量Ｖs とを比較し、いずれか小さい方（同量の場合はどちらでも可）を仮想プリセット量として選択する。
前記第１比較の結果が（Ａ）の場合は、比較対象量として選択された給油可能量Ｖc と前記サービス残量Ｖs とを比較し、
（Ａ−１）サービス残量Ｖs ＞給油可能量Ｖc の場合は、給油可能量Ｖc を仮想プリセット量として選択し、
（Ａ−２）サービス残量Ｖs ≦給油可能量Ｖc の場合、サービス残量Ｖs を仮想プリセット量として選択する。
一方、前記第１比較の結果が（Ｂ）の場合は、比較対象量として選択されたプリセット量Ｖp と前記サービス残量Ｖs とを比較し、
（Ｂ−１）サービス残量Ｖs ＞プリセット量Ｖp の場合は、プリセット量Ｖp を仮想プリセット量として選択し、
（Ｂ−２）サービス残量Ｖs ≦プリセット量Ｖp の場合は、サービス残量Ｖs を仮想プリセット量として選択する。
【００５９】
たとえば、サービス残量Ｖs ＝２０Ｌ、プリセット量Ｖp ＝満タン、給油可能量Ｖc ＝８０Ｌの場合、前記第１比較で、プリセット量：満タン（９９９９．９９Ｌ）＞給油可能量Ｖc ：８０Ｌなので、比較対象値として給油可能量Ｖc が選択される。続く第２比較では、サービス残量Ｖs ：２０Ｌ＜給油可能量Ｖc ：８０Ｌなので、サービス残量Ｖs が仮想プリセット量として選択される。
【００６０】
ステップＳ３０では、前記仮想プリセット量と値引き単価などからなる購入情報を表示した確認画面（図８（ｂ））が表示器１２に表示される。顧客が確認ボタン１２ａにタッチし、ＰＯＳ端末２０に購入情報が送信されると、ＰＯＳ端末２０から給油機制御手段９１に給油許可信号が送信され、ステップＳ３１に進む。前記確認画面には、給油の合計金額を表示してもよいし、しなくてもよい。
【００６１】
ステップＳ３１では、給油が可能な状態（ノズルから燃料油の吐出が可能な状態）となり、給油ノズルをノズルハンガから取り外すと、ノズルスイッチ９４がＯＮになって、所定の操作により給油が開始され、ステップＳ３２に進む。
ステップＳ３２において、前記仮想プリセット量にまで達すると、給油ノズルからの燃料油の吐出を禁止するように制御される（給油が停止される）。その後、給油ノズルをノズルハンガに戻す（掛ける）と、ノズルスイッチがＯＦＦになり、給油機制御手段から給油完了信号が精算装置１０に送信されて、マイコン１１が、給油装置９から送信される給油実績および前記値引き単価に基づき今回給油を行った給油金額を算出して、ステップＳ３３に進む。
【００６２】
ステップＳ３３では、今回の給油日が前回の給油日と同じ月かどうかの判別がなされ、同じ月である場合は、ステップＳ３４に進み、同じ月でない場合は、ステップＳ４０に進む。
ステップＳ３４では今回の給油量（＝仮想プリセット量）が前記カード情報のうちの当月給油量に加算されて、新たな当月給油量が算出され、ステップＳ３５に進む。一方、ステップＳ４０では、今回が当月の初めての給油なので、今回の給油量（＝仮想プリセット量）が当月給油量としてセットされ、ステップＳ３５に進む。
【００６３】
サービス残量がない場合：
前記ステップＳ１３（図５）において、サービス残量Ｖs がないと判別された場合は、図７に示すステップＳ５１〜Ｓ６２の処理が行われた後、ステップＳ３５に進む。
前記ステップＳ５１〜Ｓ６２の処理は、仮想プリセット量を算出する比較（ステップＳ５８）が異なる他は、前述のステップＳ２１〜Ｓ３２の処理と同様の処理である。
【００６４】
前記ステップＳ５８における仮想プリセット量の算出では、前記ステップＳ２８と異なり、前記第１比較のみが行われる。すなわち、プリセット量Ｖp と給油可能量Ｖc との比較のみが行われ、いずれか小さい方（同量の場合はどちらでも可）が仮想プリセット量として選択される。
【００６５】
現在年月日が有効期限より後、あるいは、有効期限が記憶されていない場合：
前記ステップＳ４（図５）で、現在年月日が有効期限より後、あるいは、有効期限が記憶されていない場合は、前記サービス残量がない場合と同様のステップＳ５１〜Ｓ６２（図７）の処理が行われた後、ステップＳ３５に進む。
【００６６】
ステップＳ３５以降の処理：
図６に示すステップＳ３５では、前記ステップＳ３２で算出された今回の給油での給油金額に基づき、今回の給油でのポイント数を算出して、前記カード情報のうちのポイント合計に加算し、新たなポイント合計を算出する。
【００６７】
ステップＳ３６では、給油カードＰの顧客情報記憶部３１に、今回の給油後の前回使用年月日、利用可能残高、ポイント合計、当月給油量などが、必要に応じて、新たなカード情報として書き換えられ、ステップＳ３７に進む。前記新たな前回使用年月日としては、今回の給油年月日が記憶される。
【００６８】
ステップＳ３７では、例えば、図９（ａ）のように、当該給油月日、投入金額、新たな残額、ポイント数などが、必要に応じて、給油カードＰに印字されて、ステップＳ３８に進む。ステップＳ３８では、給油カードＰが給油カード投入口１４Ａから排出され、ステップＳ３９に進む。ステップＳ３９では、顧客が必要に応じて所定の操作を行うと、例えば、図９（ｂ）に示す領収書がプリンタ１９により発行されて、一連の給油処理が完了し、再度の給油が可能になる。
【００６９】
サービス残量を跨ぐ給油の処理：
サービス残量があって、かつ、前記第２比較の結果が前記（Ａ−２）または（Ｂ−２）の場合は、サービス残量Ｖs が仮想プリセット量として選択され、該サービス残量Ｖs までの給油で給油を一旦停止する。したがって、顧客の所望するプリセット量Ｖp または給油可能量Ｖc から前記サービス残量Ｖs を差し引いた残りの量については、前記ステップＳ３９で給油処理が完了し、再度の給油が可能となった後に、顧客は再度前記ステップＳ１〜Ｓ３９の処理を行う。この残りの量の給油については値引きサービスの適用がないから、通常単価での給油が行われる。
【００７０】
たとえば、サービス残量Ｖs ＝２０Ｌで、プリセット量Ｖp ＝５０Ｌ（＜給油可能量Ｖc ）である場合、図９（ａ）の給油カードＰの印字（６月２７日分）に示すように、まず、サービス残量２０Ｌ（仮想プリセット量）までの給油が割引き単価（￥９５）で行われ、一旦給油を停止した後、給油したい残りの量３０Ｌの給油が通常単価（￥１００）で行われる。この場合、給油処理が２度行われるので、図９（ｂ）および図９（ｃ）の２枚の領収書が発行される。
【００７１】
顧客の利便性を重視して、前記給油を一旦停止する方法に代えて、サービス残量Ｖs が仮想プリセット量として選択された場合であっても、給油を一旦停止せずに、顧客の所望するプリセット量Ｖp または給油可能量Ｖc まで連続して給油を行うようにすることも可能である。この場合、サービス残量Ｖs までの給油量については値引き単価で給油金額を算出し、残りの給油量については通常単価で給油金額を算出する。領収書は、図９（ｂ）および図９（ｃ）のように２枚発行されてもよいし、図１０のように１枚の領収書であってもよい。図１０の領収書の場合は、値引き単価での給油および通常単価での給油のそれぞれについて、単価、給油量および給油金額が記載されて、各給油金額の合計額が記載される。
【００７２】
以上のとおり、図面を参照しながら、好適な実施例を説明したが、当業者であれば、本明細書をみて、自明な範囲で種々の変更および修正を容易に想定するであろう。
たとえば、クレジットカードでの給油でも、給油カードとの併用により前記実施形態と同様のサービスが受けることも当然可能である。この場合、換算した給油可能量は無制限（カードにより制限がある場合はそれに従う）とした給油を行なう。
また、値引情報記憶部を設けずに、給油カードごとのサービス制限量や単価値引き額を識別番号と関連付けて、顧客情報記憶部に記憶させてもよい。
また、前記実施形態では、給油カードとして、印字の書換が不可能なカードを用いたが、いわゆるリライトカード等の他の板状記憶媒体を用いてもよい。
【産業上の利用可能性】
【００７３】
本発明は、給油所システムなどに適用することができる。
【図面の簡単な説明】
【００７４】
【図１】（ａ）は本発明の実施形態にかかる給油所システムを示す概略構成図、（ｂ）は同システムにおける精算装置の正面図である。
【図２】精算装置、給油装置およびＰＯＳ端末を示す概略構成図である。
【図３】（ａ），（ｂ）は値引情報記憶部の値引きテーブルであり、（ｃ）は単価記憶部の単価テーブルである。
【図４】（ａ）は給油カードの概略構成図であり、（ｂ）は顧客情報記憶部の記憶内容を示す図である。
【図５】給油方法を示すフローチャートである。
【図６】給油方法を示すフローチャートである。
【図７】給油方法を示すフローチャートである。
【図８】（ａ），（ｂ）は表示器の表示画面を示す正面図である。
【図９】（ａ）は給油カードの印字領域を示す正面図であり、（ｂ），（ｃ）は領収書の一例を示す正面図である。
【図１０】領収書の一例を示す正面図である。
【符号の説明】
【００７５】
１１：マイコン
１２：表示器（表示手段）
１３：貨幣識別機（貨幣識別手段）
１４：給油カードリーダ・ライタ
１９：プリンタ
２１：単価記憶部
２２：顧客情報記憶部
９：給油装置
９１：給油機制御手段
９２：給油ノズル
９４：ノズルスイッチ
Ｐ：給油カード
Ｖs ：サービス残量
Ｖp ：プリセット量
Ｖc ：給油可能量
【図１】
0004675696.tif 000002
【図２】
0004675696.tif 000003
【図３】
0004675696.tif 000004
【図４】
0004675696.tif 000005
【図５】
0004675696.tif 000006
【図６】
0004675696.tif 000007
【図７】
0004675696.tif 000008
【図８】
0004675696.tif 000009
【図９】
0004675696.tif 000010
【図１０】
0004675696.tif 000011